(57)【要約】 【課題】  小型で、容易な操作で撮影する方向を変化させることができ、さらに撮影する画像を確認しながら撮影できるカメラ付き携帯端末装置およびカメラ付き携帯電話機を提供することを目的とする。【解決手段】  携帯電話機１は、外部からの光をレンズ１９を介してＣＣＤ２０に照射して撮像するカメラ付き携帯電話機であって、レンズ１９の位置を被写体２３からの光を反射する位置と被写体２４からの光を反射する位置とに回転つまみを回転させることによって切替えることができ、光を反射することができるミラー１８を有する。ミラー１８の位置を切替えることによって、外部からの光の光路を切替え、被写体２３からの光に基づいて撮影する場合とミラー１８で反射させた被写体２４からの光に基づいて撮影する場合とに、撮影する方向を変えることができる。【選択図】      図１
2006215350.tif 000002
【特許請求の範囲】
【請求項１】
光を電気的な信号に変換して画像を撮像する撮像手段と、
前記撮像手段の光軸上に設けられ、入射光を前記撮像手段に反射する反射手段と、
前記反射手段を回転させる回転手段とを有することを特徴とするカメラ付き携帯端末装置。
【請求項２】
所定の表示内容を表示する表示手段と、
開放方向が前記表示手段の表示方向と同一の方向となるように設けられた第１開口部と、
開放方向が前記表示方向と反対の方向となるように設けられた第２開口部と、
光を電気的な信号に変換して画像を撮像する撮像手段と、
前記撮像手段の光軸上に設けられ、入射光を前記撮像手段に反射する反射手段と、
前記入射光を前記第１開口部を通過する第１入射光と前記第２開口部を通過する第２入射光とに切替えるように、前記反射手段を回転させる回転手段とを有することを特徴とするカメラ付き携帯端末装置。
【請求項３】
前記反射手段が、前記第１入射光を前記撮像手段に反射する状態にあるか前記第２入射光を前記撮像手段に反射する状態にあるかを検出する検出手段を有し、
前記表示手段は、前記撮像手段によって撮像された画像を表示する際、前記検出手段の検出結果に基づいて、前記反射手段があらかじめ決められた状態にある場合に、上下および左右を反転して表示するように構成されることを特徴とする請求項２記載のカメラ付き携帯端末装置。
【請求項４】
前記回転手段は、筺体の外部に突出するように設けられた回転可能な回転部材を有し、
前記回転部材を回転させることによって、前記反射手段を回転させるように構成されることを特徴とする請求項１〜３のいずれか１つに記載のカメラ付き携帯端末装置。
【請求項５】
前記反射手段は、前記撮像手段によって撮像する光以外を遮断するように構成されていることを特徴とする請求項１〜４のいずれか１つに記載のカメラ付き携帯端末装置。
【請求項６】
前記反射手段は、ミラーを含んで構成されることを特徴とする請求項１〜５のいずれか１つに記載のカメラ付き携帯端末装置。
【請求項７】
第１筺体および第２筺体を有し、前記第１筐体と前記第２筐体とが折り畳み可能に構成されるカメラ付き携帯電話機において、
第１筺体には、前記第１筺体および前記第２筺体を相互に対向させた折り畳み状態で、前記第１筺体の前記第２筺体に対向する対向領域に設けられ、所定の表示内容を表示する表示手段と、
開放方向が前記表示手段の表示方向と同一の方向となるように設けられた第１開口部と、
開放方向が前記表示方向と反対の方向となるように設けられた第２開口部と、
光を電気的な信号に変換して画像を撮像する撮像手段と、
前記撮像手段の光軸上に設けられ、入射光を反射する反射手段と、
前記第１開口部を通過する第１入射光と前記第２開口部を通過する第２入射光とに前記入射光を切替えるように、前記反射手段を回転させる回転手段とを有することを特徴とするカメラ付き携帯電話機。
【発明の詳細な説明】
【技術分野】
【０００１】
本発明は、被写体からの光によって形成された被写体像を光電変換素子によって電気信号に変換して画像を撮像する機能を有するカメラ付き携帯端末装置およびカメラ付き携帯電話機に関する。
【背景技術】
【０００２】
カメラ付き携帯端末装置およびカメラ付き携帯電話機は、一般に、撮影される画像を表示装置に映して確認しながら撮影することができる。また、カメラ付き携帯端末装置およびカメラ付き携帯電話機は、風景および他人を撮影するとともに、自分自身も撮影するという使い方がされている。
【０００３】
図８は、第１の従来技術であるカメラ付き携帯電話機６１の概略図である。カメラ付き携帯電話機６１は、現在、一般に市販されているカメラ付き携帯電話機である。カメラ付き携帯電話機６１は、第１筺体６２と第２筺体６３とをヒンジ６４によって折り畳みが可能に接続されている。第１筺体６２には、開口部６５、レンズ６６、ＣＣＤ（Charge
Coupled Device）６７、メインＬＣＤ（Liquid Crystal Display）６８、サブＬＣＤ６９を有しており、第２筺体６３には、入力キー７０を有している。メインＬＣＤ６８は、折り畳み状態で、第１筺体６２の第２筺体６３が対向する対向領域に設置されており、サブＬＣＤ６９および開口部６５は、折り畳み状態で、外部に露出し、第１筺体６２の対向領域の反対側の領域に設置されている。被写体７１からの光を開口部６５から入射させ、その入射光をレンズ６６でＣＣＤ６７に集光して撮像する。そうすることで、風景および他人などを撮影する場合には、メインＬＣＤ６８に映される画像を確認しながら撮影し、操作者である自分を撮影する場合には、サブＬＣＤ６９に映される画像を確認しながら撮影することができる。
【０００４】
第２の従来技術は、特許文献１および２に記載されている。特許文献１および２の携帯型情報端末機器は、入力部を有する筺体と表示部を有する筺体とを備え、それらがヒンジによって折り畳み可能に接続されている。さらに、入力部を有する筺体にカメラを有し、表示部を有する筺体にミラーを、折り畳み状態でカメラの光軸上になるように設置する。そのミラーを用いることによって、撮影する方向を変化させることができる。
【０００５】
第３の従来技術は、非特許文献１に記載されている。非特許文献１のカメラ付き携帯電話機は、入力部を有する筺体と表示部およびカメラを有する筺体とを備え、それらがヒンジによって折り畳み可能に接続されている。入力部を有する筺体には、ヒンジの中心線に垂直な軸線回りに回転できる回転ヒンジを有している。入力部を有する筺体を回転させることによって、表示部に映された画像を確認しながら撮影でき、撮影する方向も自由に変化させることができる。
【０００６】
第４の従来技術は、特許文献３に記載されている。特許文献３のカメラ付き通信端末装置は、通信端末装置にカメラが回転機構によって回転自在に取り付けられている。カメラを回転させることによって、撮影する方向を変化させることができる。
【０００７】
第５の従来技術は、特許文献４に記載されている。特許文献４のカメラ付き携帯端末機は、筺体の外部にミラーを有する部材を備えている。そのミラーを有する部材を組み立てて、ミラーの設置される角度を変化させることによって、ミラーが受光センサの光軸上の位置と受光センサの光軸上以外の位置とに切替える。そうすることによって、撮影する方向を変化させることができる。
【０００８】
第６の従来技術は、特許文献５に記載されている。特許文献５の携帯情報端末機は、筺体の表裏に撮影用透過窓を有し、二枚の傾斜角度の異なるミラーを有するスライド片を、それらのミラーの少なくとも一方が撮像素子の光軸上に配置されるように移動可能に設置されている。スライド片を移動させることによって、撮影方向を変化させることができる。
【特許文献１】特開２００３−６９８６８号公報
【特許文献２】特開２００３−１１０８９５号公報
【特許文献３】特開２００３−２６４６１９号公報
【特許文献４】特開２００４−８０１４７号公報
【特許文献５】特開２００４−１３３２２号公報
【非特許文献１】Ｖ４０２ＳＨ  取扱説明書基本操作編，日本，ボーダフォン株式会社，第１−１０頁、第１−１１頁、第７−４頁〜第７−９頁
【発明の開示】
【発明が解決しようとする課題】
【０００９】
第１の従来技術のカメラ付き携帯電話機６１では、撮影者を撮影する場合、開口部６５と同じ面にあるサブＬＣＤ６９に映される画像を確認しながら撮影することになる。サブＬＣＤ６９は、撮影者自身を撮影するときおよび時計の表示などに使用され、たとえば６０×４０ドットのカラーＬＣＤで実現されるのに対し、メインＬＣＤ６８は、風景などを撮影するときおよび入力キー７０によって入力される文字などの表示などに使用され、たとえば２４０×１６０ドットのカラーＬＣＤで実現される。そのような場合、サブＬＣＤ６９は、メインＬＣＤ６８と比べて、総ドット数が１／１６であり、画像の緻密さと色再現性とに問題があった。また、撮影する画像を確認するためにサブＬＣＤ６９を用いるためには、安価な白黒ＬＣＤではなくて、高価なカラーＬＣＤを用いないと、機能を充分に果たせないので、カラー表示にするためのコストが余分にかかってしまう。
【００１０】
第２の従来技術の携帯型情報端末機器では、カメラを有する筺体とは別の筺体にミラーを有するので、撮影方向を変化させるためには、折り畳み状態で使用する必要がある。したがって、撮影する画像を表示手段などで確認して撮影することができない。
【００１１】
第３の従来技術のカメラ付き携帯電話機では、入力部を有する筺体と表示部およびカメラを有する筺体とを備え、それらがヒンジによって折り畳み可能に接続されており、さらに、入力部を有する筺体にヒンジを有する。したがって、ヒンジが二つ必要なので、小型化が困難であり、高価なものとなってしまう。
【００１２】
第４の従来技術のカメラ付き通信端末装置では、通信端末装置にカメラを回転機構によって回転自在に取り付けられている。したがって、通信端末装置本体の回路とカメラとを高価な可動式のフレキシブルケーブルなどを用いて、電源および信号線などを接続する必要である。さらに、カメラを回転した後、カメラを固定する必要があるので、カメラを固定するための技術が必要であり、カメラ付き通信端末装置としての信頼性に問題がある。
【００１３】
第５の従来技術のカメラ付き携帯端末機では、筺体の外部にミラーを有する部材を備えており、撮影する方向を変えるために、その部材を組み立ててミラーを設置する角度を変化させる。したがって、撮影する方向を変えるのに、手間がかかってしまい、ミラーを有する部材が筺体の外部にあるので、撮影される画像が安定しない。
【００１４】
第６の従来技術の携帯情報端末機では、スライド片にはミラーが二枚必要であり、そのスライド辺をスライドさせるためのスペースが筺体内に必要であるので、筺体が大きくなってしまう。
【００１５】
本発明の目的は、小型で、容易な操作で撮影する方向を変化させることができ、さらに撮影する画像をメインＬＣＤで確認しながら撮影できるカメラ付き携帯端末装置およびカメラ付き携帯電話機を提供することである。
【課題を解決するための手段】
【００１６】
本発明は、光を電気的な信号に変換して画像を撮像する撮像手段と、
前記撮像手段の光軸上に設けられ、入射光を前記撮像手段に反射する反射手段と、
前記反射手段を回転させる回転手段とを有することを特徴とするカメラ付き携帯端末装置である。
【００１７】
また本発明は、所定の表示内容を表示する表示手段と、
開放方向が前記表示手段の表示方向と同一の方向となるように設けられた第１開口部と、
開放方向が前記表示方向と反対の方向となるように設けられた第２開口部と、
光を電気的な信号に変換して画像を撮像する撮像手段と、
前記撮像手段の光軸上に設けられ、入射光を前記撮像手段に反射する反射手段と、
前記入射光を前記第１開口部を通過する第１入射光と前記第２開口部を通過する第２入射光とに切替えるように、前記反射手段を回転させる回転手段とを有することを特徴とするカメラ付き携帯端末装置である。
【００１８】
また本発明は、前記反射手段が、前記第１入射光を前記撮像手段に反射する状態にあるか前記第２入射光を前記撮像手段に反射する状態にあるかを検出する検出手段を有し、
前記表示手段は、前記撮像手段によって撮像された画像を表示する際、前記検出手段の検出結果に基づいて、前記反射手段があらかじめ決められた状態にある場合に、上下および左右を反転して表示するように構成されることを特徴とする。
【００１９】
また本発明は、前記回転手段は、筺体の外部に突出するように設けられた回転可能な回転部材を有し、
前記回転部材を回転させることによって、前記反射手段を回転させるように構成されることを特徴とする。
【００２０】
また本発明は、前記反射手段は、前記撮像手段によって撮像する光以外を遮断するように構成されていることを特徴とする。
また本発明は、前記反射手段は、ミラーを含んで構成されることを特徴とする。
【００２１】
また本発明は、第１筺体および第２筺体を有し、前記第１筐体と前記第２筐体とが折り畳み可能に構成されるカメラ付き携帯電話機において、
第１筺体には、前記第１筺体および前記第２筺体を相互に対向させた折り畳み状態で、前記第１筺体の前記第２筺体に対向する対向領域に設けられ、所定の表示内容を表示する表示手段と、
開放方向が前記表示手段の表示方向と同一の方向となるように設けられた第１開口部と、
開放方向が前記表示方向と反対の方向となるように設けられた第２開口部と、
光を電気的な信号に変換して画像を撮像する撮像手段と、
前記撮像手段の光軸上に設けられ、入射光を反射する反射手段と、
前記第１開口部を通過する第１入射光と前記第２開口部を通過する第２入射光とに前記入射光を切替えるように、前記反射手段を回転させる回転手段とを有することを特徴とするカメラ付き携帯電話機である。
【発明の効果】
【００２２】
本発明によれば、光を電気的な信号に変換して画像を撮像する撮像手段の光軸上に設けられた反射手段によって、入射光をその撮像手段に反射させる。さらに、回転手段によって、その反射手段を回転させる。そうすることによって、撮像手段は、異なる方向から入射された光に基づいて撮像することができる。したがって、回転手段によって反射手段を回転させる容易な操作で撮像する方向を変化させることができる。さらに、回転手段を回転させるだけであるので、装置を大型化する必要がなく、小型な装置で実現することができる。
【００２３】
また本発明によれば、光を電気的な信号に変換して画像を撮像する撮像手段の光軸上に設けられた反射手段によって、入射光をその撮像手段に反射させる。さらに、回転手段によって、その入射光が第１開口部を通過する第１入射光と第２開口部を通過する第２入射光とに切替えるように、その反射手段を回転させる。そうすることによって、撮像手段は、第１入射光を反射させる場合と第２入射光を反射させる場合とで、異なる方向から入射された光に基づいて撮像することができる。したがって、回転手段を回転させる容易な操作で撮像する方向を変化させることができる。さらに、回転手段を回転させるだけであるので、装置を大型化する必要がなく、小型な装置で実現することができる。
【００２４】
さらに、開放方向が所定の表示内容を表示する表示手段の表示方向と同一である第１開口部からの第１入射光に基づいて撮像する場合、撮影者は、表示手段に表示される画像を確認しながら、撮影者自身を撮影することができる。また、開放方向が表示手段の表示方向と反対の方向である第２開口部からの第２入射光に基づいて撮像する場合、撮影者は、表示手段に表示される画像を確認しながら、風景などの撮影者以外を撮影することができる。
【００２５】
また本発明によれば、検出手段によって、反射手段が、第１入射光を撮像手段に反射する状態であるか、第２入射光を撮像手段に反射する状態であるかを検出する。撮像手段によって撮像された画像を表示手段に表示させる際、検出手段の検出結果に基づいて、反射手段があらかじめ決められた状態にある場合に、表示手段は、上下および左右を反転して表示する。
【００２６】
撮像手段に反射された光に基づいて撮像された画像を表示手段にそのまま表示すると、反射手段の状態が第１入射光を撮像手段に反射する状態および第２入射光を撮像手段に反射する状態のいずれかの状態で、上下および左右が反転した状態で画像が表示されることがある。つまり、表示手段に表示される画像が、上下または左右がさかさまになることがある。
【００２７】
そこで、検出手段によって検出された検出結果が、あらかじめ決められた状態である場合に、上下および左右を反転して表示手段に表示することによって、撮影者は、表示手段に表示される画像を見ながら、表示される画像がさかさまであるなど違和感を生じさせることなく撮影することができる。
【００２８】
また本発明によれば、回転手段は、筺体の外部に突出するように設けられた回転可能な回転部材を有し、その回転部材を回転させることによって、前記反射手段を回転させるように構成されている。そうすることによって、撮影者が回転部材を回転させると、その回転部材の回転に連動して反射手段の状態を切替えることができ、撮影する方向を容易に切替えることができる。
【００２９】
また本発明によれば、反射手段は、撮像手段によって撮像する光以外を遮断するように構成されているので、撮像手段で撮像する際、不必要な光が遮断され、所望する画像を鮮明に撮影することができる。
【００３０】
また本発明によれば、反射手段は、ミラーを含んで構成されるので、入射光を容易に反射させることができる。
【００３１】
また本発明によれば、第１筺体および第２筺体を有し、それらが折り畳み可能に構成されるカメラ付き携帯電話機である。表示手段は、第１筺体および第２筺体を相互に対向させた折り畳み状態で第１筺体の第２筺体に対向する対向領域に設けられる。また、第１開口部は、その開放方向が表示手段の表示方向と同一の方向となるように、第２開口部は、その開放方向が表示手段の表示方向と反対の方向となるように、それぞれ第１筺体に設けられる。光を電気的な信号に変換して画像を撮像する撮像手段の光軸上に設けられた反射手段によって、入射光をその撮像手段に反射させる。さらに、回転手段によって、その入射光が第１開口部を通過する第１入射光と第２開口部を通過する第２入射光とに切替えるように、その反射手段を回転させる。そうすることによって、撮像手段は、第１入射光を反射させる場合と第２入射光を反射させる場合とで、異なる方向から入射された光に基づいて撮像することができる。したがって、回転手段を回転させる容易な操作で撮像する方向を変化させることができる。さらに、回転手段を回転させるだけであるので、装置を大型化する必要がなく、小型な装置で実現することができる。
【００３２】
さらに、折り畳み状態で対向する領域が外部に露出する展開状態で、第１入射光に基づいて撮像する場合、撮影者は、表示手段に表示される画像を確認しながら、撮影者自身を撮影することができる。また、第２入射光に基づいて撮像する場合、撮影者は、表示手段に表示される画像を確認しながら、風景などの撮影者以外を撮影することができる。
【発明を実施するための最良の形態】
【００３３】
以下に本発明を実施の形態によって詳細に説明する。本実施形態では、カメラ付き携帯端末装置の１つとしてカメラ付き携帯電話機について説明する。本実施形態であるカメラ付き携帯電話機は、撮影される画像を確認しながら撮影することができ、撮影者自身を撮影するためと風景などの撮影者以外を撮影するためとに撮影する方向を変化させることができる携帯電話機である。
【００３４】
図１は、本発明の第１の実施形態である携帯電話機１の構成を示す概略図である。図１（ａ）は、撮影者を撮影する際の携帯電話機１の構成を示す概略図であり、図１（ｂ）は、撮影者以外を撮影する際の携帯電話機１の構成を示す概略図である。
【００３５】
携帯電話機１は、第１筺体１１と第２筺体１２とをヒンジ１３によって折り畳み可能に接続されている。第１筺体１１には、メインＬＣＤ１４、サブＬＣＤ１５、第１開口部１６、第２開口部１７、ミラー１８、レンズ１９、ＣＣＤ２０および図示しない回転つまみおよび回転検出部などを有する。第２筺体１２には、入力キー２１などを有する。なお、図１では、ヒンジ１３を中心として、第１筺体１１と第２筺体１２とを所定の角度に展開した展開状態の携帯電話機１を示す。
【００３６】
メインＬＣＤ１４は、後述の画像データおよび入力キー２１によって入力される文字などを表示する。メインＬＣＤ１４は、折り畳み状態で、第１筺体１１の第２筺体１２が対向する対向領域に設置されており、たとえば、２４０×１６０ドットのカラーＬＣＤで実現される。メインＬＣＤ１４は、表示手段に相当する。サブＬＣＤ１５は、時計表示、アンテナ強度表示およびバッテリ表示などに使用される。サブＬＣＤ１５は、折り畳み状態で、外部に露出し、第１筺体１１の対向領域と平行な領域に設置されており、白黒ＬＣＤで実現される。本実施形態では、サブＬＣＤ１５の総ドット数は、メインＬＣＤ１４の総ドット数の１／１６以下としている。
【００３７】
第１開口部１６は、対向領域が外部に露出する展開状態のとき、撮影者２２と同一側にある被写体２３からの光を第１筺体１１内に入射させる。第１開口部１６は、開放方向がメインＬＣＤ１４の表示方向と同一の方向になるように対向領域に設けられる。第２開口部１７は、撮影者２２と異なる側にある被写体２４からの光を第１筺体１１内に入射させる。第２開口部１７は、開放方向が第１開口部１６の開放方向と反対方向となるように、第１筺体１１の外部に露出する露出領域で、ヒンジ１３が接続された領域と反対側にある領域に設置される。第１開口部１６および第２開口部１７は、ガラスあるいは透明なプラスチック板などで覆われていてもよい。
【００３８】
ミラー１８は、レンズ１９の光軸上に設けられ、入射光をレンズ１９に反射することができる。また、ミラー１８は、回転軸を備え、回転つまみを回転させると、その回転に連動して回転させることができる。その回転軸は、レンズ１９の光軸に直交し、平板状のミラー１８の長手方向の中心を平面方向に備えられる。したがって、ミラー１８は、回転つまみを回転させると、レンズ１９に反射させる入射光を、第１開口部１６を通過した第１入射光と第７開口部１７を通過した第２入射光とに切替えることができる。
【００３９】
レンズ１９は、照射された光を集光してＣＣＤ２０に照射する。ＣＣＤ２０は、レンズ１９によって集光されて照射された光を電気信号に変換して、画像データを生成させる。レンズ１９およびＣＣＤ２０は、撮像手段に相当する。また、ＣＣＤ２０、レンズ１９およびミラー１８は、第１筺体１１のヒンジ１３が接続されている領域から、その反対の領域に向かって順に設けられている。したがって、ＣＣＤ２０、レンズ１９およびミラー１８は、第１筺体１１の厚み方向に直交するように並んで設けられているので、第１筺体１１は、厚くならず、小型化を実現することができる。
【００４０】
入力キー２１は、撮影者による操作によって所定の情報を入力する。入力キー２１は、第２筺体１２の対向領域に設置され、数字データ、文字データおよび携帯電話機１への指示などを入力する複数のキーによって実現される。携帯電話機１への指示を入力するキーには、ＣＣＤ２０によって生成された画像データを図示しない記憶手段への記憶を指示するキー、つまり、携帯電話機１に撮影を指示するシャッタキーを含む。
【００４１】
携帯電話機１では、第１筺体１１と第２筺体１２とを展開した展開状態で、第１筺体１１を携帯電話機１の上部とし、第２筺体１２を携帯電話機１の下部とし、メインＬＣＤ１４の表示方向を正面とする。
【００４２】
図２は、本発明の第１の実施形態である携帯電話機１の展開状態の概観を示す正面図である。図３は、本発明の第１の実施形態である携帯電話機１の展開状態の概観を示す背面図である。図４は、本発明の第１の実施形態である携帯電話機１の展開状態の概観を示す右側面図である。図５は、本発明の第１の実施形態である携帯電話機１の展開状態の概観を示す上面図である。
【００４３】
メインＬＣＤ１４および第１開口部１６は、図２に示すように、両方とも第１筺体１１の対向領域に形成されており、同一方向を向いている。サブＬＣＤ１５および第２開口部１７は、図３に示すように、両方とも第１筺体１１の展開領域で、メインＬＣＤ１４および第１開口部１６が形成されている領域と平行な領域に形成されており、同一方向を向いている。回転つまみ２５は、図２、図３、図４および図５に示すように、第１筺体１１の右側面に形成されており、第１筺体の側面に沿って矢符２６の方向に回転する。
【００４４】
回転つまみ２５は、図示しない連結部材によって、回転軸がミラー１８の回転軸と一致するように、ミラー１８と連結されている。携帯電話機１は、回転つまみ２５を撮影者が回転させると、図示しない連結部材によって、回転つまみ２５の回転に連動してミラー１８を回転させることができ、第１開口部１６を通過した第１入射光をレンズ１９に反射させる状態と第２開口部１７を通過した第２入射光をレンズ１９に反射させる状態とに、ミラー１８の状態を切替えることができる。なお、回転つまみ２５は、回転部材に相当し、回転つまみ２５および連結部材は、回転手段に相当する。
【００４５】
図１（ａ）に示すように、ミラー１８を被写体２３からの光である第１入射光をレンズ１９に反射させる状態になるように、回転つまみ２５を回転させると、撮影者自身を撮影することができる。一方、図１（ｂ）に示すように、ミラー１８を被写体２４からの光である第２入射光をレンズ１９に反射させる状態になるように、回転つまみ２５を回転させると、撮影者以外の風景などを撮影することができる。したがって、回転つまみ２５を回転させて一枚のミラーを回転させるだけで、被写体２３からの光に基づく撮影と被写体２４からの光に基づく撮影とに、撮影する方向を容易に切替えすることができ、小型で、操作性の良い携帯電話機を実現することができる。
【００４６】
図６は、回転つまみ２５および回転検出部２９の構成を示す概略図である。図６（ａ）は、第１筺体１１の正面から見た概略図であり、図６（ｂ）は、第１筺体１１の内部から見た概略図である。
【００４７】
図６（ａ）に示すように、回転つまみ２５は、つまみ本体２７および回転部２８を有する。つまみ本体２７は、第１筺体１１の外部に突出するように設けられ、回転部２８は、つまみ本体２７の第１筺体１１の内部側の側面に設けられる。また、つまみ本体２７は、回転させることができ、その回転軸は、連結部材３１によって、ミラー１８の回転軸と連結されている。
【００４８】
また、図６（ｂ）に示すように、つまみ本体２７は、矢符３２および矢符３３の方向に回転させることができ、回転部２８は、つまみ本体２７の回転に伴って移動する。回転検出部２９は、第１筺体１１の内部に設けられ、回転部２８の軌跡である移動領域に検出スイッチ３０を有し、回転部２８が検出スイッチ３０に接触しているか否かを検出する。なお、回転部２８および回転検出部２９は、検出手段に相当する。
【００４９】
撮影者が回転つまみ２５を矢符３２方向に回転させると、回転検出部２９によって、検出スイッチ３０に回転部２８が接触したことを検出することができ、さらに、連結部材３１によって、ミラー１８を回転させて、図１（ｂ）に示すように、ミラー１８の状態を、第２開口部１７を通過する第２入射光をレンズ１９に反射させる状態にすることができる。撮影者が回転つまみ２５を矢符３３方向に回転させると、回転検出部２９によって、回転部２８が検出スイッチ３０から離れたことを検出することができ、さらに、連結部材３１によって、ミラー１８を回転させて、図１（ａ）に示すように、ミラー１８の状態を、第１開口部１６を通過する第１入射光をレンズ１９に反射させる状態にすることができる。したがって、回転つまみ２５を撮影者が回転させると、ミラー１８を回転させて、ミラー１８の状態を切替えることができ、さらに、そのミラー１８の状態が、第１入射光をレンズ１９に反射させる状態であるか、第２入射光をレンズ１９に反射させる状態であるかを検出することができる。
【００５０】
携帯電話機１は、メインＬＣＤ１４に撮影する画像を表示させる際に、検出手段によって検出されたミラー１８の状態に基づいて、以下のように制御する。
【００５１】
図１（ａ）に示すように、ミラー１８の状態が、被写体２３からの光に基づいて撮影する状態、つまり、第１入射光をレンズ１９に反射させる状態であると検出された場合、ＣＣＤ２０の対向領域側（下部）で認識された光に基づいて撮像された画像をメインＬＣＤ１４の下部に表示し、ＣＣＤ２０の展開領域側（上部）で認識された光に基づいて撮像された画像をメインＬＣＤ１４の下部に表示する。それに対して、図１（ｂ）に示すように、ミラー１８の状態が、被写体２４からの光に基づいて撮影する状態、つまり、第２入射光をレンズ１９に反射させる状態であると検出された場合、ＣＣＤ２０の下部で認識された光に基づいて撮像された画像をメインＬＣＤ１４の上部に表示し、ＣＣＤ２０の上部で認識された光に基づいて撮像された画像をメインＬＣＤ１４の上部に表示する。
【００５２】
また、図１（ａ）に示す場合、被写体２３の右部（紙面の手前側）からの光は、ＣＣＤ２０の左部（紙面の奥側）に認識され、ＣＣＤ２０の左部で認識された光に基づいて撮像された画像をメインＬＣＤ１４の右部（紙面の手前側）に表示し、被写体２３の左部からの光は、ＣＣＤ２０の右部に認識され、ＣＣＤ２０の右部で認識された光に基づいて撮像された画像をメインＬＣＤ１４の左部に表示する。それに対して、図１（ｂ）に示す場合、被写体２４の右部（紙面の奥側）からの光は、ＣＣＤ２０の右部（紙面の手前側）に認識され、ＣＣＤ２０の右部で認識された光に基づいて撮像された画像をメインＬＣＤ１４の左部（紙面の奥側）に表示し、被写体２３の左部からの光は、ＣＣＤ２０の左部に認識され、ＣＣＤ２０の左部で認識された光に基づいて撮像された画像をメインＬＣＤ１４の手前側に表示する。
【００５３】
上記のようにして、撮影者が回転つまみ２５を回転させると、メインＬＣＤ１４は、撮像された画像を上下左右反転させて表示する。そうすることによって、撮影者は、メインＬＣＤ１４に表示される画像の上下左右が逆であるなどの違和感を生じることなく、表示される画像を見ながら撮影することができる。
【００５４】
また、ミラー１８は、図１（ａ）に示すように、その状態がミラー１８を被写体２３からの光をレンズ１９に反射するような状態に切替えられている場合は、第２開口部１７から入射される光を遮断し、図１（ｂ）に示すように、その状態がミラー１８を被写体２４からの光をレンズ１９に反射するような状態に切替えられている場合は、第１開口部１６から入射される光を遮断する。そうすることによって、撮像するのに必要のない光が遮断され、所望する画像を鮮明に撮影することができる。
【００５５】
さらに、図１および図２に示すように、第１開口部１６がメインＬＣＤ１４と同一の方向に設置されているので、メインＬＣＤ１４に表示される画像を確認しながら、撮影者２２を撮影することができる。図１および図３に示すように、第２開口部１７がメインＬＣＤ１４と異なる方向に設置されているので、メインＬＣＤ１４に表示される画像を確認しながら、撮影者２２以外の風景などを撮影することができる。また、第１開口部１６および第２開口部１７は、図２および図３に示すように、携帯電話機１の第１筺体１１の上部に形成して、実施することができるので、小型化が可能であり、デザインとしても優れた携帯電話機を実現することができる。
【００５６】
また、撮影方向の切替えは、第１筺体１１の右側面に形成されている回転つまみ２５を第１筺体１１に沿うように、回転させるだけなので、容易に、切替することができる。
【００５７】
また、本実施形態では、第１開口部１６および第２開口部１７の二つの開口部を有する携帯電話機について説明したが、開口部は、三つ以上であってもよいし、第１筺体１１の上端部が開口されている構成であってもよい。本実施形態は、ミラー１８を回転させて、レンズ１９に反射させる光を切替えるので、上記のような構成であると、開口部毎に入射される光に基づいて撮影することができる。
【００５８】
図７は、本発明の第２の実施形態である携帯電話機４０の構成を上方から示す概略図である。携帯電話機４０は、第１筺体４１と第２筺体４２とを有し、第１筺体４１には、第１開口部４６、第２開口部４７、ミラー４８、レンズ４９、ＣＣＤ５０および図示しないメインＬＣＤ、サブＬＣＤ、回転つまみおよび検出スイッチなどを有する。
【００５９】
第１の実施形態の携帯電話機１は、ＣＣＤ２０、レンズ１９およびミラー１８が第１筺体１１のヒンジ１３が接続されている領域からその反対の領域に向かって順に設けられているのに対して、携帯電話機４０は、図７に示すように、ＣＣＤ５０、レンズ４９およびミラー４８が右側面から左側面に向かって順に設けられる。携帯電話機４０は、上記のように、ＣＣＤ５０、レンズ４９およびミラー４８が右側面から左側面に向かって順に設けられること以外、第１の実施形態の携帯電話機１と同様である。
【００６０】
したがって、図７（ａ）に示すように、ミラー４８を被写体５３からの光である第１入射光をレンズ４９に反射させる状態になるように、回転つまみを回転させると、撮影者自身を撮影することができる。一方、図１（ｂ）に示すように、ミラー４８を被写体５４からの光である第２入射光をレンズ４９に反射させる状態になるように、回転つまみを回転させると、撮影者以外の風景などを撮影することができる。回転つまみを回転させて一枚のミラーを回転させるだけで、被写体５３からの光に基づく撮影と被写体５４からの光に基づく撮影とに、撮影する方向を容易に切替えすることができ、小型で、操作性の良い携帯電話機を実現することができる。
【００６１】
さらに、携帯電話機４０は、ＣＣＤ５０、レンズ４９およびミラー４８は、第１筺体４１の厚み方向に直交するように並んで設けられているので、第１の実施形態の携帯電話機１と同様、第１筺体４１は、厚くならず、小型化を実現することができる。
【００６２】
本発明は、サブＬＣＤ１５を設置している折り畳み可能な携帯電話機について説明したが、本発明は、サブＬＣＤ１５を用いて、撮影する画像を確認しないので、サブＬＣＤ１５は、設けていなくてもよい。さらに、折り畳まない携帯電話機、いわゆる、キャンディーバータイプの携帯電話機であってもよい。その場合、入力キー２１は、メインＬＣＤ１４と同一筺体内に配置されるようにする以外は、携帯電話機１と同様である。
【００６３】
本発明は、カメラ付き携帯電話機を例に挙げて説明したが、カメラ付き携帯端末装置であれば、たとえばカメラ付きＰＤＡ（Personal Digital Assistance）などでもよい。
【図面の簡単な説明】
【００６４】
【図１】本発明の第１の実施形態である携帯電話機１の構成を示す概略図である。
【図２】本発明の第１の実施形態である携帯電話機１の展開状態の概観を示す正面図である。
【図３】本発明の第１の実施形態である携帯電話機１の展開状態の概観を示す背面図である。
【図４】本発明の第１の実施形態である携帯電話機１の展開状態の概観を示す右側面図である。
【図５】本発明の第１の実施形態である携帯電話機１の展開状態の概観を示す上面図である。
【図６】回転つまみ２５および回転検出部２９の構成を示す概略図である。
【図７】本発明の第２の実施形態である携帯電話機４０の構成を上方から示す概略図である。
【図８】第１の従来技術であるカメラ付き携帯電話機５１の概略図である。
【符号の説明】
【００６５】
１，４０，６１  携帯電話機
１１，４１，６２  第１筺体
１２，４２，６３  第２筺体
１３，６４  ヒンジ
１４，６８  メインＬＣＤ
１５，６９  サブＬＣＤ
１６，４６  第１開口部
１７，４７  第２開口部
１８，４８  ミラー
１９，４９，６６  レンズ
２０，５０，６７  ＣＣＤ
２１，７０  入力キー
２２，５２  撮影者
２３，２４，５２，７１  被写体
２５  回転つまみ
２６，３１，３２  矢符
２７  つまみ本体
２８  回転部
２９  回転検出部
３０  検出スイッチ
３１  連結部材
【図１】
2006215350.tif 000003
【図２】
2006215350.tif 000004
【図３】
2006215350.tif 000005
【図４】
2006215350.tif 000006
【図５】
2006215350.tif 000007
【図６】
2006215350.tif 000008
【図７】
2006215350.tif 000009
【図８】
2006215350.tif 000010